(57)【要約】【課題】真直な部分に限定されず、異形の筐体であっても配設可能なコンパクトな遊技機用施錠装置を提供する。【解決手段】遊技機用施錠装置２において、筐体に開閉動自在となったフロントパネルに設けられ遊技機前後方向の回動中心１３で回動し、かつ回動軸３ｄと同軸に固定されて筐体側へ向かって突出する延長軸５を有したシリンダー錠３と、延長軸５の先端に固設され軸線を境に略半分が切除された略半円錐形状の係止爪７と、筐体に設けられフロントパネルの閉動に伴って延長軸５が進入する進入凹部１５を有し進入凹部１５の進入口１５ａのみが開口される箱体９と、箱体９に設けられバネ２３によって付勢されて進入凹部１５に進退自在に突出することで係止爪７の底面部７ａに係止して進入凹部１５からの延長軸５の抜脱を規制可能にするラッチ１１とを設けた。【選択図】      図１
2004236807.tif 000002
【特許請求の範囲】
【請求項１】
筐体にヒンジを介して開閉動自在となったフロントパネルに設けられ遊技機前後方向の回動中心で回動し、かつ回動軸と同軸に固定されて前記筐体側へ向かって突出する延長軸を有したシリンダー錠と、
前記延長軸の先端に同軸となって底面部が半径方向外側に突出して固設され軸線を境に略半分が切除された略半円錐形状の係止爪と、
前記筐体に設けられ、前記フロントパネルの閉動に伴って前記延長軸が進入する進入凹部を有し該進入凹部の進入口のみが開口される箱体と、
該箱体に設けられ、付勢部材によって付勢されて前記進入凹部に進退自在に突出することで前記係止爪の底面部に係止して前記進入凹部からの前記延長軸の抜脱を規制可能にするラッチと、
を具備したことを特徴とする遊技機用施錠装置。
【発明の詳細な説明】
【０００１】
【発明の属する技術分野】
本発明は、例えば回胴式遊技機（所謂、パチスロ）に用いて好適な遊技機用施錠装置に関するものである。
【０００２】
【従来の技術】
従来、遊技機の施錠装置として、例えば以下に示す特許文献１に開示されているものがある。これは、図６に示すように、前面枠１００の開放側裏面にシリンダー錠１０１と、該シリンダー錠１０１の錠軸１０２に取付けられたカム板１０３と、上下一対の鉤片１０４，１０４を有する昇降杆１０５とを基枠体１０６を介して取り付けるとともに、外枠１０７の開放側内側面の上下位置に前記鉤片１０４，１０４が係脱する係止金具１０８，１０８を固着し、シリンダー錠１０１の回動操作によりカム板１０３を回動して昇降杆１０５を上下方向へ摺動させるとともに、係止金具１０８，１０８と鉤片１０４，１０４との係合を解除して前面枠１００を解錠するように構成されたものである。
【０００３】
【特許文献１】
実公昭５８−４５３８号公報
【０００４】
【発明が解決しようとする課題】
しかしながら、上記した遊技機用施錠装置は、上下方向に真直な前面枠１００の開閉端側の裏面に、上下方向に真直で長尺に構成される昇降杆１０５を配設した構造であり、すなわち上下に真直な部分に配設される施錠装置であることから、外枠１０７及び前面枠１００の形状に十分な長さの真直な部分のない複雑な形状、例えば、凹凸があったり湾曲されている場合には対応することが難しいという欠点がある。また、昇降杆１０５の上下端に鉤片１０４をそれぞれ備える構成であることから、位置合わせなどの調整が必要であり、組立施工性としての煩雑さがあった。
【０００５】
さらに、前面枠１００全体が開放するのではなく、一部分のみ開放させたい構造である場合に、上記した施錠装置では長尺な昇降杆１０５の構造をそのまま適用することは困難であり、コンパクト化が望まれていた。
【０００６】
また、上記した遊技機用施錠装置は、前面枠１００の開閉端側の裏面に、昇降杆１０５，カム板１０３とを配設し、これらの機構部が前面枠１００の開閉端側の木口側に露出する状態となっていて、昇降杆１０５がカム板１０３だけによって上下摺動して、係止金具１０８に係脱する機構であったため、前面枠１００を閉鎖した場合であっても、前面枠１００と外枠１０７との隙間から針金等を挿入すれば、昇降杆１０５や鉤片１０４を係合解除する方向に直接移動させることも可能で、前面枠１００が開放されてしまい、容易に内部装置（遊技用制御基板等）に触れて不正な行為、悪戯ができ、高い施錠信頼性を得ることができなかった。
【０００７】
本発明は上記状況に鑑みてなされたもので、真直な部分に限定せず、異形の筐体であっても配設可能なコンパクトな遊技機用施錠装置を提供することを目的とするとともに、組み付けが容易であり、簡素な構造で信頼性のある施錠装置を提供することを目的とする。また、隙間から挿入される針金等によって開放されることを阻止し、遊技用制御基板等への不正な行為を防止することのできる遊技機用施錠装置を提供し、施錠信頼性の向上を図ることを目的とする。
【０００８】
【課題を解決するための手段】
次に、上記の課題を解決するための手段を、実施の形態に対応する図面を参照して説明する。
この発明の請求項１記載の遊技機用施錠装置２は、筐体３０にヒンジを介して開閉動自在となったフロントパネル２９に設けられ遊技機１前後方向の回動中心１３で回動し、かつ回動軸３ｄと同軸に固定されて前記筐体３０側へ向かって突出する延長軸５を有したシリンダー錠３と、
前記延長軸５の先端に同軸となって底面部７ａが半径方向外側に突出して固設され軸線を境に略半分が切除された略半円錐形状の係止爪７と、
前記筐体３０に設けられ、前記フロントパネル２９の閉動に伴って前記延長軸５が進入する進入凹部１５を有し該進入凹部１５の進入口１５ａのみが開口される箱体９と、
該箱体９に設けられ、付勢部材２３によって付勢されて前記進入凹部１５に進退自在に突出することで前記係止爪７の底面部７ａに係止して前記進入凹部１５からの前記延長軸５の抜脱を規制可能にするラッチ１１と、
を具備したことを特徴とする。
【０００９】
この遊技機用施錠装置２では、フロントパネル２９を閉動することにより、略半円錐形状の係止爪７がラッチ１１を後退させた後、係止するので、フロントパネル２９を閉動するのみでフロントパネル２９の施錠が可能となる。そして、従来のような長尺な杆状の構造などがない構成とされたことで、コンパクト化が図られ、遊技機の形状に限定されずに施錠装置を設けることが可能となる。また、例えば、筐体３０とフロントパネル２９との隙間から針金等が挿入されても、ラッチ１１と係止爪７との係止部分が進入凹部１５の奥深くに位置することから、針金等による接触が事実上不可能となり、このような不正行為によるフロントパネル２９の解錠が阻止される。
【００１０】
【発明の実施の形態】
以下、本発明に係る遊技機用施錠装置の好適な実施の形態を図面を参照して詳細に説明する。
図１は本発明に係る遊技機用施錠装置の分解斜視図、図２は図１の組み立て状態の斜視図である。
【００１１】
例えば回胴式遊技機である所謂、パチスロ等の遊技機１は、ヒンジによって筐体３０に対して開閉自在となった扉であるフロントパネル２９を有している。フロントパネル２９は、図示しないが、複数の操作スイッチや、筐体３０に設けた回胴を目視可能とする窓部等を有している。遊技機１は、上記の回胴を回転する回転制御装置（図示せず）、操作スイッチ、遊技媒体払出し装置（図示せず）や、これらと電気的に接続され、回胴の回転や遊技媒体払出し数等を制御する遊技用制御基板等（図示せず）を筐体３０に備えている。遊技機１は、これらの内部装置が、フロントパネル２９を筐体３０に対して閉鎖することで外部から覆われている。
【００１２】
本実施の形態による遊技機用施錠装置２は、筐体３０に対してフロントパネル２９を施解錠するためのものである。遊技機用施錠装置２は、シリンダー錠３と、延長軸５と、係止爪７と、箱体９と、ラッチ１１とを主要部材として有している。
【００１３】
フロントパネル２９は、ヒンジを介して左右方向の一端側が筐体３０に回動自在に支持され、左右方向の他端側が筐体３０に対して開閉動される。シリンダー錠３は、このフロントパネル２９の開閉動される他端側に取付けられ、鍵穴３ａをフロントパネル２９の前面に表出させている。つまり、シリンダー錠３は、遊技機の前後方向の回動中心１３で回動する。
【００１４】
シリンダー錠３は、固定筒３ｂと内筒３ｃとの間に半径方向のタンブラーピン（図示せず）を軸線方向に複数配列している。タンブラーピンは、長手方向の所定位置で分断され、軸線方向に複数配列された全てのものの分断位置が、固定筒３ｂと内筒３ｃとの境界に一致することで、所謂シアーラインを一致させることで、固定筒３ｂに対して内筒３ｃが回動自在となる。シリンダー錠３は、鍵穴３ａに合鍵３１を挿入することで、このシアーラインを一致させることができる。
【００１５】
シリンダー錠３は、この内筒３ｃの後端に、回動軸３ｄが連結されている。回動軸３ｄの後端には、さらに延長軸５が同軸で固定されている。つまり、シリンダー錠３は、後端に、筐体３０へ向かって突出する延長軸５を備えている。この延長軸５は、合鍵３１による施解錠操作によって、内筒３ｃ及び回動軸３ｄとともに一体となって回動する。
【００１６】
この延長軸５の先端には、係止爪７が固設されている。係止爪７は、延長軸５の先端に同軸となって、底面部７ａが半径方向外側に突出して固設される。また、係止爪７は、軸線を境に略半分が切除された略半円錐形状となっている。係止爪７は、後述するように、底面部７ａがラッチ１１と係止するようになっている。従って、シリンダー錠３が回動され、係止爪７の切除部分にラッチ１１が一致すれば、係止爪７とラッチ１１との係止は解除される。なお、本実施の形態では、係止爪７の先端部を平坦面としているが、先端は尖っていても良い。
【００１７】
一方、筐体３０には、フロントパネル２９の閉動に伴って延長軸５が進入する位置に、箱体９を固設している。この箱体９は、延長軸５が進入する図２に示す進入凹部１５を有している。
箱体９は、左側板９ａと、右側板９ｂと、塞ぎ板９ｃとからなる。左側板９ａは、側板９ｄ，上面板９ｅ，前面板９ｆ，進入凹部天板９ｇとを有し、前面板９ｆには進入口１５ａを形成している。右側板９ｂは、側板９ｈ，底板９ｉ，傾斜板９ｊ，背板９ｋとを有している。
従って、左側板９ａと右側板９ｂとが接合され、さらに右側板９ｂに塞ぎ板９ｃが接合されることで、箱体９は、図２に示すように、進入凹部１５の進入口１５ａのみが開口された箱体となる。
【００１８】
また、箱体９は、傾斜板９ｊによって進入凹部１５の底面を形成している。この底面は、進入口１５ａに向かって進入凹部空間を拡大させる方向の傾斜面１５ｂとなっている。
【００１９】
箱体９の上部には、ラッチ１１が内蔵されている。左側板９ａの進入凹部天板９ｇにはラッチ穴２１が穿設され、ラッチ１１はこのラッチ穴２１から進入凹部１５へと突出される。進入凹部１５に突出したラッチ１１のラッチ爪１１ａは、係止爪７との当接面が、進入凹部１５の奥へと傾斜した傾斜面１１ｂとなっている。左側板９ａの上面板９ｅとラッチ１１との間には付勢部材としての圧縮バネ２３を配設してあり、圧縮バネ２３はラッチ１１を進入凹部１５へ突出する方向に付勢している。従って、ラッチ１１は、進入凹部１５に突出することで、係止爪７の底面部７ａに係止して進入凹部１５からの延長軸５の抜脱を規制可能としている。
【００２０】
なお、シリンダー錠３は、基端に形成したフランジ部３ｅ，台板２７を介してフロントパネル２９に固定される。この場合、台板２７等を、進入口１５ａを塞ぐ大きさで形成することが好ましい。このような構成とすれば、フロントパネル２９を筐体３０に閉めた際に、箱体９の進入口１５ａを台板２７で塞ぐことができ、針金等の進入凹部１５への進入を確実に阻止できるようになる。
【００２１】
次に、上記の構成を有する遊技機用施錠装置の作用を説明する。
図３は側面視を（ａ）、要部背面視を（ｂ）に表した図１の遊技機用施錠装置の施錠状態の動作説明図、図４は側面視を（ａ）、要部正面視を（ｂ）、（ｃ）に表した図１の遊技機用施錠装置の解錠状態の動作説明図、図５は側面視を（ａ）、要部背面視を（ｂ）に表した図１の遊技機用施錠装置の施錠直前状態の動作説明図である。
【００２２】
遊技機用施錠装置２は、施錠時、図３に示すように、箱体９に進入した係止爪７が、圧縮バネ２３の付勢力によって進入凹部１５に突出したラッチ爪１１ａに、進入凹部１５の奥深くで係止され、箱体９からの抜脱が規制される。これにより、フロントパネル２９は、筐体３０から開動が規制されてロック状態となる。
【００２３】
一方、図４に示すように、鍵穴３ａに合鍵３１が挿入されてシリンダー錠３が解錠操作されると、係止爪７がラッチ爪１１ａから外れる。本実施の形態では、図４（ｂ）に示すように、合鍵３１を右回りに回転することで、係止爪７とラッチ爪１１ａとの係止を解除することができる。
【００２４】
また、図４（ｃ）に示すように、合鍵３１を左回りに回転することで、遊技機の液晶表示画面をリセットできるようになっている。なお、この場合には、図４（ｃ）に示すように、係止爪７がラッチ爪１１ａに係止したままの状態を維持し、フロントパネル２９は施錠状態を保持したままとなる。
【００２５】
合鍵３１を右側に回転させた状態でフロントパネル２９は、手によって開放が自在となる。フロントパネル２９が開放された後には、シリンダー錠１１に挿入されている合鍵３１を、再び解錠時の逆方向で回転し、合鍵３１を抜く。従って、この回転操作により、係止爪７は、再び上側に配置される。
【００２６】
この状態から、フロントパネル２９が閉動されると、先ず、係止爪７が進入凹部１５の進入口１５ａに進入し、次いで、ラッチ爪１１ａに当接する。さらに、フロントパネル２９が閉動されると、図５（ａ）に示すように、一旦、係止爪７がラッチ１１を上方へ押込む。係止爪７がラッチ１１を通過すると、上方へ押込まれたラッチ１１は再び圧縮バネ２３の付勢力によって進入凹部１５へと突出し、図３に示すように、係止爪７の底面部７ａに係止して、係止爪７の進入凹部１５からの抜脱を規制する。つまり、これにより、フロントパネル２９は、再施錠されたこととなる。
【００２７】
この遊技機用施錠装置２によれば、例えば、筐体３０とフロントパネル２９との隙間から針金等を挿入しても、ラッチ１１と係止爪７との係止部分が進入凹部１５の奥深くに位置し、針金等による接触が事実上不可能となり、このような不正行為によるフロントパネル２９の解錠が阻止される。また、フロントパネル２９を閉動することにより、略半円錐形状の係止爪７がラッチ１１を後退させた後、係止するので、フロントパネル２９を閉動するのみでフロントパネル２９の施錠が可能となる。
【００２８】
そして、進入凹部１５が、延長軸５の下方側に傾斜面１５ｂを有しているので、仮にフロントパネルの自重により、ヒンジ側の反対側であるフロントパネル２９の開閉動側が下側に下がっても、係止爪７が進入凹部１５の進入口１５ａに当接することがなく、係止爪７が衝突することによる箱体９等の破損を防止することができる。
【００２９】
また、こ遊技機用施錠装置２によれば、従来の施錠装置のような長尺な杆状の構造などが無く、すなわち真直で長尺な部材で構成される施錠装置ではなく、コンパクトな構成であることから、遊技機を構成する筐体３０やフロントパネル２９などの形状に凹凸部分や湾曲部分などがあっても配設が可能である。また、筐体３０の一部を開閉するような構造であっても配設が可能であり、汎用性の高い施錠装置を得ることができる。
【００３０】
さらに、シリンダー錠３以外の部材として、箱体９，ラッチ１１を設けるのみでよいので、組付けが容易であり、また、少ない部品点数で、簡素な構造とすることができ、製造コストも安価にすることができる。この結果、安価な構造で、操作性を低下させることなく、施錠信頼性を向上させることができる。
【００３１】
【発明の効果】
以上説明したように、本発明に係る請求項１記載の遊技機用施錠装置によれば、フロントパネルに設けたシリンダー錠に延長軸を固定し、この延長軸の先端に、略半円錐形状の係止爪を固設し、係止爪の進入する進入凹部を有する箱体を筐体に設け、この箱体に、進入凹部内に進入した係止爪に係止するラッチを進退自在に設けたので、例えば、筐体とフロントパネルとの隙間から針金等を挿入しても、ラッチと係止爪との係止部分が進入凹部の奥深くに位置し、接触が事実上不可能となり、このような不正行為によるフロントパネルの解錠を阻止することができる。
【００３２】
また、フロントパネルを閉動することにより、略半円錐形状の係止爪がラッチを後退させた後、係止するので、フロントパネルを閉動するのみでフロントパネルを施錠することができる。このことから、操作性を低下させることなく、施錠信頼性を向上することができる。
【００３３】
さらに、本発明の遊技機用施錠装置によれば、従来の施錠装置のような長尺な杆状の構造などが無く、すなわち真直で長尺な部材で構成される施錠装置ではなく、コンパクトな構成であることから、遊技機の形状が凹凸や湾曲などで構成されていても配設が可能であり、また筐体の一部を開閉するような構造であっても配設が可能であり、汎用性の高い施錠装置を得ることができる。
【００３４】
さらに、シリンダー錠以外の部材として、箱体，ラッチを設けるのみでよいので、少ない部品点数で、簡素な構造とすることができ、製造コストも安価にすることができる。この結果、安価な構造で、操作性を低下させることなく、施錠信頼性を向上させることができる。
【図面の簡単な説明】
【図１】本発明に係る遊技機用施錠装置の分解斜視図である。
【図２】図１の組み立て状態の斜視図である。
【図３】側面視を（ａ）、要部背面視を（ｂ）に表した図１の遊技機用施錠装置の施錠状態の動作説明図である。
【図４】側面視を（ａ）、要部正面視を（ｂ）、（ｃ）に表した図１の遊技機用施錠装置の解錠状態の動作説明図である。
【図５】側面視を（ａ）、要部背面視を（ｂ）に表した図１の遊技機用施錠装置の施錠直前状態の動作説明図である。
【図６】従来の遊技機用施錠装置の斜視図である。
【符号の説明】
２…遊技機用施錠装置
３…シリンダー錠
３ｄ…回動軸
５…延長軸
７…係止爪
７ａ…底面部
９…箱体
１１…ラッチ
１３…回動中心
１５…進入凹部
１５ａ…進入口
２３…付勢部材（圧縮バネ）
２９…フロントパネル
３０…筐体
【図１】
2004236807.tif 000003
【図２】
2004236807.tif 000004
【図３】
2004236807.tif 000005
【図４】
2004236807.tif 000006
【図５】
2004236807.tif 000007
【図６】
2004236807.tif 000008